(57)【要約】【課題】  簡便なホログラム装置を使用して、遊技球が一時的に転動するステージ転動面上にホログラム虚像を形成する。【解決手段】  遊技球が一時的に転動する透明部材で形成されたステージ転動面５１と、前記ステージ転動面の下方に設けられ、ホログラム形成盤面を前記ステージ転動面の方向に向けて配置したホログラム円盤６２、前記ホログラム円盤を高速回転させる回転駆動手段６３、および前記ステージ転動面の上方に設けられ、前記ホログラム形成盤面を照明する照明手段７０からなるホログラム装置と、を有し、前記ステージ転動面上の遊技球が転動する空間に、前記ホログラム円盤の回転に伴うホログラム虚像ｐを発生させる。【選択図】図３
2010220871.tif 000002
【特許請求の範囲】
【請求項１】
遊技球が一時的に転動する透明部材で形成されたステージ転動面と、
前記ステージ転動面の下方に設けられ、ホログラム形成盤面を前記ステージ転動面の方向に向けて配置したホログラム円盤、前記ホログラム円盤を高速回転させる回転駆動手段、および前記ステージ転動面の上方に設けられ、前記ホログラム形成盤面を照明する照明手段からなるホログラム装置と、を有し、
前記ステージ転動面上の遊技球が転動する空間に、前記ホログラム円盤の回転に伴うホログラム虚像が発生することを特徴とする弾球遊技機。
【請求項２】
請求項１において、前記ホログラム円盤の前記ホログラム形成盤面は、複数の光記録媒体円盤の記録媒体面が前記ホログラム円盤の回転中心から同心円状に配置されてなることを特徴とする弾球遊技機。
【請求項３】
請求項１または２において、前記ステージ転動面に沿って複数の前記ホログラム装置が配置されていることを特徴とする弾球遊技機。
【発明の詳細な説明】
【技術分野】
【０００１】
本発明は、パチンコ遊技機等の弾球遊技機に関し、特に、遊技盤の中央に役物装置を有する弾球遊技機に関するものである。
【背景技術】
【０００２】
弾球遊技機において、図６に示すように、遊技盤１上のレール８ａ、８ｂに囲まれた遊技領域９内の略中央に役物装置２を有する弾球遊技機が知られている。
該役物装置２は、全体が外枠部３に囲まれており、その内部中央には液晶表示装置４が設けられている。また、該外枠部３の下部には遊技球を一時的に転動させるステージ５、側部には遊技球を該ステージ５上に案内する流入口６が設けられている。
また、該役物装置２の下方の遊技領域９内には、始動入賞口１０ａや一般入賞口１０ｂ、その下方には大入賞口（いわゆるアタッカー）１１が配置されている。
さらに、最下方には、上記したどの入賞口にも入賞しなかった遊技球を回収するアウト口１３が配置され、その他、風車１４や障害釘１５等も、適宜配置されている。
このような遊技機は、遊技者が球発射ハンドル７を操作することにより、遊技球はレール８ａ、８ｂで囲まれた発射通路を通り、遊技領域９内に発射される。
発射された遊技球が該始動入賞口１０ａに入賞すると、その入賞に伴って抽せんが行われ、その抽せん結果は、遊技機右下部に設けられた特別図柄表示装置１２に表示される。
この抽せん結果を表示するにあたり、該液晶表示装置４における映像演出や、外枠部３に付属して設けられる演出役物装置１６の動作による動作演出等が併せて行われ、これらにより、遊技者に対し当せんに対する期待感を一層醸成させている。
そして、該抽せんに当せんするといわゆる特別遊技状態となり、大入賞口１１が大きく開口する。開口した該大入賞口１１には、容易に遊技球を多数入賞させることができるので、遊技者は大量の賞球を得ることができる。
【０００３】
このような演出役物装置として、文字図柄表示と一体にしたホログラムを用いる演出役物装置が提案されている。
【先行技術文献】
【特許文献】
【０００４】
【特許文献１】特開平２００１−２９５７５号公報
【発明の概要】
【発明が解決しようとする課題】
【０００５】
しかしながら、この演出役物装置では、ホログラムシートによる表示が文字図柄表示と常に一体に行われており、単に文字図柄表示を装飾しているにすぎず、意外性や面白味に欠けるものとなっている。
【０００６】
本発明はこの点に鑑みなされたものであり、ホログラムによって発生させる立体的な虚像を、遊技球の動作等に関連させて適宜、映像演出として用いる構成とすることにより、意外性に富みしかも躍動感に溢れた演出を行うことのできる弾球遊技機を、簡便な構成によって安価に提供する。
【課題を解決するための手段】
【０００７】
本発明は、上述した目的を達成する解決手段として、弾球遊技機において、遊技球が一時的に転動する透明部材で形成されたステージ転動面と、前記ステージ転動面の下方に設けられ、ホログラム形成盤面を前記ステージ転動面の方向に向けて配置したホログラム円盤、前記ホログラム円盤を高速回転させる回転駆動手段、および前記ステージ転動面の上方に設けられ、前記ホログラム形成盤面を照明する照明手段からなるホログラム装置と、を有し、前記ステージ転動面上の遊技球が転動する空間に、前記ホログラム円盤の回転に伴うホログラム虚像が発生することを特徴とする構成とした。
【０００８】
さらに、本発明は、前記ホログラム円盤の前記ホログラム形成盤面は、複数の光記録媒体円盤の記録媒体面が前記ホログラム円盤の回転中心から同心円状に配置されてなることを特徴とする構成とした。
【０００９】
さらに、本発明は、前記ステージ転動面に沿って複数の前記ホログラム装置が配置されていることを特徴とする構成とした。
【発明の効果】
【００１０】
本発明における弾球遊技機は、簡便なホログラム装置を用いて、発生されるホログラム虚像を遊技球が一時的に転動するステージ上に適宜発生させ、遊技者に対して意外性に富み、かつ躍動感ある演出を遊技の進行に併せ適宜、行うことができるので、遊技者に興趣溢れる弾球遊技機を安価に提供することができる。
【図面の簡単な説明】
【００１１】
【図１】本発明の実施例に係る弾球遊技機の正面図。
【図２】本発明の実施例に係る役物装置の正面図。
【図３】本発明の実施例に係るホログラム装置の側面図。
【図４】本発明の実施例に係るホログラム円盤の説明図。
【図５】本発明の他の実施例に係るホログラム装置の配置説明図。
【図６】従来例における弾球遊技機の説明図。
【発明を実施するための形態】
【００１２】
本発明の弾球遊技機は、図１に示すように、遊技盤１上のレール８ａ、８ｂに囲まれた遊技領域９内の略中央に役物装置２０を有している。
該役物装置２０の下方の遊技領域９内には、始動入賞口１０ａや一般入賞口１０ｂ、その下方には大入賞口（いわゆるアタッカー）１１が配置され、最下方には、上記したどの入賞口にも入賞しなかった遊技球を回収するアウト口１３が配置され、その他、風車１４や障害釘１５等も、適宜配置されている。
このように、本発明の弾球遊技機は、図６に示した従来の弾球遊技機における役物装置２に換え、図２に示す役物装置２０を配置したものである。
【００１３】
該役物装置２０は、図２に示すように、周囲を外枠部３によって囲まれており、その中央に液晶表示演出装置４、下部に遊技球の流下に変化を与えるステージ部５が設けられている。該ステージ部５の下方には、始動入賞口１０ａ等が設けられている。
該ステージ部５は、上部ステージ５１と、該上部ステージ５１の前方（遊技者から見て手前側）に隣接して配置された下部ステージ５２とから構成され、下部ステージ５２上で遊技球が転動するステージ転動面５２ａは、上部ステージ５１上で遊技球が転動するステージ転動面５１ａよりも一段低くなっている。
これらステージ転動面５１ａ、５２ａは、いずれも周知の遊技球転動面として形成されており、例えば、中央部が両端部より低くなった略弓形に形成されると共に、前方方向に若干の下り傾斜を有して形成されている。
また、前記外枠部３の側部には、遊技球を該上部ステージ部５１上に導くための流入口６が形成されており、該流入口６に連通する流出口１６が該上部ステージ５１のステージ転動面５１ａの端部に開口している。
そして、該ステージ部５は少なくとも該ステージ転動面５１ａ、５２ａがアクリル樹脂等からなる透明体で形成されており、上方から該ステージ５の下方が透視できるように構成されている。
【００１４】
また、透明体で形成された該ステージ転動面５１ａ、５２ａの下方には、図３に示すように、ホログラム装置本体６０が配置され、該ステージ５の上方には、該ホログラム装置本体６０に向かって照射光を投射する発光ダイオード等からなる照明装置７０が配置されている。
さらに、該照明装置７０は、照射光の色を、例えば緑→青→赤と変更することができるように複数の発光ダイオード等によって構成されている。更に、その発光強度を変更することもできるように構成されている。
そして、該発光ダイオード等による照射光は、該ホログラム装置本体６０の後述するホログラム円盤６２のみを照射することができるようなスポット光であることが好ましい。
【００１５】
また、ホログラム装置本体６０は、ホログラムが形成されているホログラム形成盤面６１を上記したステージ転動面５１ａ、５２ａに向けて配置したホログラム円盤６２を有しており、該ホログラム円盤６２を高速回転させる回転駆動手段６３を備えている。
さらに、該回転駆動手段６３は、遊技機の遊技状態に応じて該ホログラム円盤６２の回転速度を変化させることができる変速手段を有している。
【００１６】
該ホログラム形成盤面６１は、図４に示すように、その片面側に、複数の光記録媒体円盤６４を、その記録媒体面が該ホログラム円盤６２の回転中心６５に対し同心円状となるように配置されている。
ホログラム形成盤面６１は、上記したようにステージ転動面５１ａ、５２ａに向けて配置されていることから、該光記録媒体円盤６４は、その記録媒体面が、いずれもステージ転動面５１ａ、５２ａに向けて配置され、さらに、該ステージ転動面５１ａ、５２ａの上方に配置された照明装置７０によって照射されることとなる。
さらに、該ホログラム円盤６２が高速回転され、照明装置７０によって照射されることによってホログラム虚像ｐが発生するが、図３に示すように、このホログラム虚像ｐが、遊技者から見てステージ転動面５１ａ、５２ａの遊技球が転動する領域内に発生するように、遊技者によるステージ転動面に対する平均的な目線角度に対応して、照明装置７０によるホログラム円盤６２への照射角度、ステージ転動面５１ａ、５２ａと該ホログラム円盤６２との距離及び角度、さらには該ホログラム円盤６２上の光記録媒体円盤６４の大きさ等が適宜設定されている。
【００１７】
また、本発明のホログラム演出を、特別図柄表示装置１２の表示と同期することができるように、あるいは液晶表示演出装置４の演出と同期することができるように、ホログラム演出制御手段が設けられている。
該ホログラム演出制御手段は、液晶表示演出装置４における演出画像制御手段と同様に、その時々の遊技状態を検知し、該遊技状態に応じて、該照明装置７０を制御してその照射光の色や強度を変更したり、該回転駆動手段６３を制御してその回転速度を変化させたりする。
あるいは、遊技球をステージ５上に導入させる流入口６に遊技球検知センサを設けて遊技球の流入信号を検知し、その検知信号に基づいて該ホログラム制御手段が動作するように構成することもできる。
【００１８】
以上のように構成された弾球遊技機は、次のように動作する。
流入口６等によってステージ転動面５１ａ、５２ａ上に進入した遊技球は、該ステージ転動面５１ａ、５２ａ上を遊技者から見て左右に揺動しながら次第に運動量を減衰し、その前方から落下する。
落下した遊技球が、ステージ下方に設けられた始動入賞口１０ａに入賞すると、その入賞に伴って抽せんが行われ、特別図柄表示装置１２における可変表示が開始されると共に、該液晶表示演出装置４における映像演出、例えば、いわゆるリーチ演出等が行われる。
この特別図柄表示装置１２における可変表示あるいは、液晶表示演出装置４における映像演出に同期するように前記したホログラム演出制御手段が作動し、これによりホログラム装置が駆動されて、ステージ転動面５１ａ、５２ａ上にホログラム虚像ｐが発生することとなる。
【００１９】
このように発生したホログラム虚像ｐはステージ転動面５１ａ、５２ａ上にあることから、該ステージ転動面５１ａ、５２ａ上を転動する遊技球が、遊技者にとっては、この立体的に形成されたホログラム虚像ｐ中を転動するように観察することとなる。
役物装置２内のステージ転動面５１ａ、５２ａ上は、遊技者にとっては、転動する遊技球が下方の始動入賞口１０ａの方向に落下するのかについて常に興味を持って注視している場所であり、また液晶表示演出装置４の下部とも重なる場所でもあるので、この場所に発生し、あるいは消滅するこのような立体的な虚像は、遊技者にとって、視覚を非常に刺激することとなる。したがって、このような立体的に形成されたホログラム虚像ｐ中を遊技球が転動する演出は、遊技者にとって非常に興趣あるものとすることができる。
さらに、前記ホログラム演出制御手段により、リーチ演出等と関連させて、該照明装置７０を制御してその照射光の色や強度を変更したり、該回転駆動手段６３を制御してその回転速度を変化させたりすることによって、発生するホログラム虚像ｐの色彩や形態を変化させることで、より一層、視覚的な演出を行うことができる。
【００２０】
このような発生するホログラム虚像ｐの色彩や形態を変化させる演出は、このように特別図柄表示装置１２における可変表示に伴って行うばかりでなく、その時点での遊技状態に応じて、例えば、いわゆる時短状態であるとか特別遊技状態であるとかによって適宜変化させることにより、遊技者に対して、より一層、視覚的に優れた演出とすることができる。
【００２１】
さらに、この弾球遊技機に使用されるホログラム装置は、被写体である立体物を正確に再生するようなホログラム装置ではないので、機構が非常に簡便であり、また、ホログラム円盤６４上に形成する光記録媒体円盤６４は、市販されている非常に廉価な媒体であるから、上記のように遊技者に対し非常に興趣ある演出を行う装置を安価に提供することができる。
特に、このような安価な光記録媒体円盤６４をホログラム円盤の回転中心から同心円状に配置することにより、生成されるホログラム虚像ｐの形状を、遊技球の径と同様な径を有するドーナツ状に形成することができるので、遊技球の転動動作との相性も良く、遊技者に興趣ある演出とすることができる。
【００２２】
上記の実施例では、ホログラム虚像ｐを発生させるホログラム原板として複数の光記録媒体円盤６４の記録媒体面を用いたが、これに限ることなく、ホログラムパターンが連続的に形成された市販のホログラムシートを、該光記録媒体円盤６４に代替して用いることもできる。
【００２３】
また、上記の実施例では、該ホログラム装置が１つのみ設けられたが、これに限ることなく、図５に示すように、ステージ転動面５１ａ、５２ａに沿うように複数のホログラム円盤６４を配置してステージ５の略全幅にわたってホログラム虚像を生成できるように構成し、それらホログラム虚像の生成を遊技状態に応じて適宜、制御することにより、遊技者に対し左右方向に拡大した、より多彩な演出をすることができる。
【００２４】
さらに、上記実施例では、ステージ５の構造を上部ステージ５１及び下部ステージ５２の２段構造としたが、これに限ることなく、１段のみとしたステージ構造でも良い。
このようにすると、ホログラム虚像ｐは単純な１つのステージ転動面上にのみ発生することとなるので、遊技者にとっては、発生するホログラム虚像ｐの形状がより明瞭となる。
【符号の説明】
【００２５】
１      遊技盤
３      外枠部
４      液晶表示演出装置
５      ステージ部
６      流入口
９      遊技領域
１０ａ  始動入賞口
１２    特別図柄表示装置
１５    障害釘
１６    流出口
５１    上部ステージ
５２    下部ステージ
５１ａ、５２ａ  ステージ転動面
６０    ホログラム装置本体
６１    ホログラム形成盤面
６２    ホログラム円盤
６３    回転駆動手段
６４    光記録媒体円盤
７０    照明装置
ｐ      ホログラム虚像
【図１】
2010220871.tif 000003
【図２】
2010220871.tif 000004
【図３】
2010220871.tif 000005
【図４】
2010220871.tif 000006
【図５】
2010220871.tif 000007
【図６】
2010220871.tif 000008